【手続補正書】
【提出日】平成15年4月22日(2003.4.22)
【手続補正１】
【補正対象書類名】明細書
【補正対象項目名】特許請求の範囲
【補正方法】変更
【補正の内容】
【特許請求の範囲】
【請求項１】
イプチセンを含んでなる分岐鎖梯子状ポリマー又はオリゴマーを含んでなり、２０００ダルトンを越える分子量を有する組成物であって、橋頭原子を含有する形状持続性分子を含んでなり、該橋頭原子から三方向に放射し且つ該橋頭原子から最も遠い点の３．５Å以上のファン・デル・ワールス接触を各々画定するようにそこから外に向かって伸びている分子構造を有する組成物。
【請求項２】
イプチセンを含んでなる梯子状ポリマー又はオリゴマーを含んでなり、２０００ダルトンを越える分子量を有する組成物であって、橋頭原子を含有する形状持続性分子を含んでなり、該橋頭原子から三方向に放射し且つ該橋頭原子から最も遠い点の３．５Å以上のファン・デル・ワールス接触を各々画定するようにそこから外に向かって伸びている分子構造を有する組成物であり、電子部品中の誘電材料として配置されている組成物。
【請求項３】
イプチセンを含んでなる梯子状ポリマー又はオリゴマーを含んでなる組成物であって、固体状態において、少なくとも３０％の自由体積及び約１．９又はそれより小さい誘電率を有する組成物。
【請求項４】
イプチセンを含んでなる梯子状ポリマー又はオリゴマーを含んでなる組成物であって、第一多孔性ポリマー成分、及び該第一多孔性ポリマー成分の細孔に浸透する相互貫通網状構造を形成している第二ポリマー成分を含んでなる組成物。
【請求項５】
イプチセンを含んでなる直鎖状ポリマーを含んでなる、請求項２の組成物。
【請求項６】
該橋頭原子から放射する該分子構造が、該橋頭原子から最も遠い点の４．０Å以上のファン・デル・ワールス接触を各々画定するようにそこから外に向かって伸びている、請求項２の組成物。
【請求項７】
該橋頭原子から放射する該分子構造が、該橋頭原子から最も遠い点の４．５Å以上のファン・デル・ワールス接触を各々画定するようにそこから外に向かって伸びている、請求項２の組成物。
【請求項８】
該橋頭原子から放射する該分子構造が、該橋頭原子から最も遠い点の５．０Å以上のファン・デル・ワールス接触を各々画定するようにそこから外に向かって伸びている、請求項２の組成物。
【請求項９】
該橋頭原子から放射する該分子構造が、該橋頭原子から最も遠い点の５．５Å以上のファン・デル・ワールス接触を各々画定するようにそこから外に向かって伸びている、請求項２の組成物。
【請求項１０】
該橋頭原子から放射する該分子構造が、該橋頭原子から最も遠い点の６．０Å以上のファン・デル・ワールス接触を各々画定するようにそこから外に向かって伸びている、請求項２の組成物。
【請求項１１】
該橋頭原子から放射する該分子構造が、該橋頭原子から最も遠い点の６．２Å以上のファン・デル・ワールス接触を各々画定するようにそこから外に向かって伸びている、請求項２の組成物。
【請求項１２】
最低エネルギー状態を有する請求項１の組成物であって、その最低エネルギー状態において、該ポリマーが平面を含有する主鎖を有する組成物。
【請求項１３】
該最低エネルギー状態において該平面に垂直に各々整列している複数の芳香環を包含し、そして該ポリマーが６．０Åのファン・デル・ワールス接触寸法として測定される最小寸法を有する、請求項１１の組成物。
【請求項１４】
該ポリマーが、他の主鎖原子に結合した主鎖原子を含んでなる主鎖を包含し、その際、該主鎖原子に関与する結合が自由に回転できない、請求項１の組成物。
【請求項１５】
構造
【化１】
2004506791.tif 000001
を含んでなる、請求項１の組成物。
【請求項１６】
該橋頭原子が炭素又は窒素を含んでなる、請求項２の組成物。
【請求項１７】
該主鎖がトリプチセン単位から構成されている、請求項１の組成物。
【請求項１８】
超分岐構造を含んでなる、請求項２の組成物。
【請求項１９】
グラフトの形成を可能にする化学官能基を含んでなるポリマー鎖単位を含んでなる、請求項１８の組成物。
【請求項２０】
ポリマー鎖単位上にグラフトした非イプチセン単位を含むグラフトポリマーを含んでなる、請求項１８の組成物。
【請求項２１】
ポリマー鎖単位上にグラフトしたイプチセン単位を含むグラフトポリマーを含んでなる、請求項１８の組成物。
【請求項２２】
二つの反応性部位であって、別のモノマー単位と反応して該ポリマー主鎖を形成した一つと該ポリマーの形成後にグラフト化するのに利用可能であるもう一つとを各々含むモノマー単位のポリマーを含んでなる、請求項１８の組成物。
【請求項２３】
誘電構造を含んでなる、請求項１の組成物。
【請求項２４】
該ポリマーが環状サブユニットを有する、請求項１の組成物。
【請求項２５】
固体状態において、少なくとも３０％の自由体積及び約１．９又はそれより小さい誘電率を有する、請求項１の組成物。
【請求項２６】
固体状態において、少なくとも５０％の自由体積及び約１．７又はそれより小さい誘電率を有する、請求項１の組成物。
【請求項２７】
固体状態において、少なくとも７０％の自由体積及び約１．５又はそれより小さい誘電率を有する、請求項１の組成物。
【請求項２８】
固体状態において、少なくとも９０％の自由体積及び約１．２又はそれより小さい誘電率を有する、請求項１の組成物。
【請求項２９】
該ポリマーが、非イプチセン単位によって画定される主鎖を有し、そして該主鎖に連結したイプチセン単位を含んでなる、請求項２の組成物。
【請求項３０】
第一多孔性ポリマー成分を含んでなり、かつ該第一多孔性ポリマー成分の細孔に浸透する相互貫通網状構造を形成している第二ポリマー成分を更に含んでなる、請求項１の組成物。
【請求項３１】
第一多孔性形状持続性ポリマー成分を含んでなる第一成分、及び該第一ポリマー成分の細孔に浸透する相互貫通網状構造を形成している第二ポリマー成分を含んでなる組成物。
【請求項３２】
該第二成分がエラストマーである、請求項３２の組成物。
【請求項３３】
該第二成分が共役ポリマーである、請求項３２の組成物。
【請求項３４】
材料が、伸長されたときに、負のポアソン比を示す、請求項３２の組成物。
【請求項３５】
組成物であって、
発色団；
少なくとも２０％の自由体積を有する形状持続性分子；及び
ホスト材料であって、該形状持続性分子がその中で自己配向しているホスト材料
を含んでなる組成物。
【請求項３６】
該形状持続性分子が、該組成物の最低エネルギー状態において共通軸に各々平行な少なくとも二つの芳香環を含む、請求項３５の組成物。
【請求項３７】
該発色団が該形状持続性分子に結合している、請求項３５の組成物。
【請求項３８】
該発色団が蛍光物質である、請求項３５の組成物。
【請求項３９】
液晶性種を更に含んでなる、請求項３５の組成物。
【請求項４０】
請求項３９の組成物であって、
液晶性種主軸の平均軸を一緒に画定するように整列した主軸を各々が有する複数の液晶性種；及び
発色団主軸の平均軸を一緒に画定するように整列した主軸を各々が有する複数の発色団
を含んでなり、この際、該発色団主軸の該平均軸に相対する個々の発色団のアラインメントが、該液晶性種主軸の該平均軸に相対する個々の液晶性種のアラインメントより少ないバラツキを含んでなる、請求項３９の組成物。
【請求項４１】
請求項１の組成物を含んでなる、サイズ排除製品を画定する製品。
【請求項４２】
電極、及び該電極が付随した請求項１の組成物を含んでなる製品。
【請求項４３】
請求項１の第一成分、及び第二成分を含んでなる組成物であって、該第二成分が、該第一成分を欠いた該組成物と比較して優れた強度を該組成物が有するように高分子量直鎖状ポリマーを有するものである組成物。
【請求項４４】
該第一成分がイプチセンを含んでなる、請求項４３の組成物。
【請求項４５】
重合性基を含んでなる、請求項３５の組成物。
【請求項４６】
該発色団が液晶である、請求項３５の組成物。
【請求項４７】
該ホスト材料が、該液晶性種主軸の平均軸を一緒に画定するように整列した主軸を各々が有する複数の液晶性種を含んでなり、この際、該発色団が、該液晶性種主軸の平均軸に本質的に平行である遷移モーメントを有する、請求項３５の組成物。
【請求項４８】
該ホスト材料が、該液晶性種主軸の平均軸を一緒に画定するように整列した主軸を各々が有する複数の液晶性種を含んでなり、この際、該発色団が、該液晶性種主軸の平均軸に本質的に垂直である遷移モーメントを有する、請求項３５の組成物。
【請求項４９】
複数の液晶性種を更に含んでなり、この際、該発色団が、該液晶性種に相対して自己配向している、請求項３５の組成物。
【請求項５０】
該二色性分子が、液晶ホストより大きいオーダーパラメーターを示す、請求項３５の分子。
【請求項５１】
該二色性分子が蛍光性である、請求項３５の分子。
【請求項５２】
第一成分がイプチセンである、請求項３５の分子。
【請求項５３】
イプチセンを含んでなる発色団を含んでなる装置であって、外部エネルギー源の該発色団への適用があったときに第一配向から第二配向へ該発色団を動かすことができるように構築され且つ配置された装置。
【請求項５４】
該外部エネルギー源が、電場、磁場、光学的場、音響場、電磁場又は機械的場である、請求項５３の装置。
【請求項５５】
前記装置が、該外部エネルギー源の適用があったときに発色団の光吸収、磁気吸収又は誘電吸収の偏光を変化させるように構築され且つ配置されている、請求項５３の装置。
【請求項５６】
該外部エネルギー源の適用があったときに色の変化を表示するように構築され且つ配置されている、請求項５３の装置。
【請求項５７】
該外部エネルギー源の適用があったときにルミネセンスの変化を表示するように構築され且つ配置されている、請求項５３の装置。
【請求項５８】
該外部エネルギー源の適用があったときに光学的シグナルの送信の変化を表示するように構築され且つ配置されている、請求項５３の装置。
【請求項５９】
該イプチセンに結合した該発色団が、該外部エネルギー源の適用があったときに第一低エネルギー安定配向から第二低エネルギー安定配向へスイッチされることができる、請求項５３の装置。
【請求項６０】
該外部エネルギー源の適用があったときに該イプチセンを重合させるように構築され且つ配置されている、請求項５３の装置。
【請求項６１】
該外部エネルギー源の適用があったときにヒトに認識可能なシグナルを表示するように構築され且つ配置されている、請求項５３の装置。
【請求項６２】
該シグナルがホログラムである、請求項６１の装置。
【請求項６３】
該外部エネルギー源の適用が、液晶ディスプレイ内でのスイッチングを引き起こす、請求項５３の装置。